(57)【要約】【課題】棒グラフにて表示される信号のピーク値近傍の変化を容易に目視させる。【解決手段】信号のピーク値近傍の変化を目視させるために信号の棒グラフを表示する表示装置において、棒グラフの表示可能な最小値および最大値を設定する設定手段（Ｓ２０４,Ｓ２０５）と、信号のレベルが最小値以上最大値以下の範囲に収まらない場合でも、該信号のレベルが前記範囲内に収まるように前記範囲を変更する設定変更手段（Ｓ２０７〜Ｓ２１０）とを有する。【選択図】図４
2008046223.tif 000002
【特許請求の範囲】
【請求項１】
信号のピーク値近傍の変化を目視させるために信号の棒グラフを表示する表示装置において、
前記棒グラフの表示可能な最小値および最大値を設定する設定手段と、
前記信号のレベルが前記最小値以上最大値以下の範囲に収まらない場合でも、該信号のレベルが前記範囲内に収まるように前記範囲を変更する設定変更手段とを有することを特徴とする表示装置。
【請求項２】
前記設定変更手段は、前記信号のレベルが前記最小値以上最大値以下の範囲に収まらないときは、該信号のレベルが前記範囲の中心になるように前記範囲を変更することを特徴とする請求項１に記載の表示装置。
【請求項３】
前記設定変更手段は、前記信号のレベルが前記最大値よりも大きいときには、前記棒グラフの高さを徐々に低くし、前記信号のレベルが前記最小値よりも小さいときには、前記棒グラフの高さを徐々に高くすることを特徴とする請求項１または２に記載の表示装置。
【請求項４】
前記設定変更手段は、前記信号のレベルが前記最大値よりも大きいときと、前記最小値よりも小さいときとで、前記範囲の変更の態様を異ならせることを特徴とする請求項１ないし３のいずれかに記載の表示装置。
【請求項５】
前記設定変更手段は、前記信号のレベルが前記最大値よりも大きいときと、前記最小値よりも小さいときとで、前記棒グラフの色、もしくは模様を異ならせることを特徴とする請求項１ないし４のいずれかに記載の表示装置。
【請求項６】
撮像手段よりの映像信号から取得される焦点信号を表示する表示手段と、
手動での焦点合わせ時の指標として、前記焦点信号を前記表示手段に棒グラフにて表示させるようにした撮像装置において、
前記棒グラフの表示可能な最小値および最大値を設定する設定手段と、
前記信号のレベルが前記最小値以上最大値以下の範囲に収まらない場合でも、該信号のレベルが前記範囲内に収まるように前記範囲を変更する設定変更手段とを有することを特徴とする撮像装置。
【請求項７】
手動にて焦点合わせが行われる際、前記撮像画面のうちのオートフォーカス領域内の画像を拡大するとともに、拡大した画像のうち、前記焦点信号を取得する領域を表示することを特徴とする請求項６に記載の撮像装置。
【請求項８】
信号のピーク値近傍の変化を目視させるために信号の棒グラフを表示する表示方法において、
前記棒グラフの表示可能な最小値および最大値を設定する設定ステップと、
前記信号のレベルが前記最小値以上最大値以下の範囲に収まらない場合でも、該信号のレベルが前記範囲内に収まるように前記範囲を変更する設定変更ステップとを有することを特徴とする表示方法。
【発明の詳細な説明】
【技術分野】
【０００１】
本発明は、信号の棒グラフを表示する表示装置、撮像装置および表示方法に関するものである。
【背景技術】
【０００２】
従来のデジタルカメラ等の撮像装置には、焦点信号（焦点評価値）を算出し、フォーカス状態を棒グラフにて表示する技術が開示されている（例えば、特許文献１）。これによれば、棒グラフが最大になるように手動でフォーカスを動かすことによって、フォーカスを合わせることが可能である。
【０００３】
また、従来のデジタルカメラ等の撮像装置には、手動でピントを合わせるマニュアルフォーカスを行う際、ＡＦ（オートフォーカス）枠を中心に画像を拡大することによって、マニュアルフォーカス時の焦点合わせをアシストすることを可能する技術も開示されている（例えば、非特許文献１）
【特許文献１】特開平９−３２２０４６号公報（第５頁、図６）
【非特許文献１】「キヤノンデジタルカメラ  ＰｏｗｅｒＳｈｏｔ  Ａ７００  カメラユーザガイド  応用編」、キヤノン株式会社、２００６年、Ｐ４９
【発明の開示】
【発明が解決しようとする課題】
【０００４】
しかしながら、前者の従来例では、棒グラフで表現できる最小値と最大値が決まった値であるため、被写体によっては焦点信号の変化が分かりにくいという欠点があった。つまり、被写体によって、焦点信号の値は大きく変化する。焦点信号の値自体には大きな意味は無く、焦点信号のピークとなるフォーカスレンズ位置が重要となる。フォーカスレンズを動かしたときに焦点信号の変化が少ない被写体の場合、ピーク位置を検出できないという問題があった。
【０００５】
（発明の目的）
本発明の目的は、棒グラフにて表示される信号のピーク値近傍の変化を容易に目視させる表示装置、撮像装置および表示方法を提供しようとするものである。
【課題を解決するための手段】
【０００６】
上記目的を達成するために、本発明は、信号のピーク値近傍の変化を目視させるために信号の棒グラフを表示する表示装置において、前記棒グラフの表示可能な最小値および最大値を設定する設定手段と、前記信号のレベルが前記最小値以上最大値以下の範囲に収まらない場合でも、該信号のレベルが前記範囲内に収まるように前記範囲を変更する設定変更手段とを有する表示装置とするものである。
【０００７】
同じく上記目的を達成するために、本発明は、撮像手段よりの映像信号から取得される焦点信号を表示する表示手段と、手動での焦点合わせ時の指標として、前記焦点信号を前記表示手段に棒グラフにて表示させるようにした撮像装置において、前記棒グラフの表示可能な最小値および最大値を設定する設定手段と、前記信号のレベルが前記最小値以上最大値以下の範囲に収まらない場合でも、該信号のレベルが前記範囲内に収まるように前記範囲を変更する設定変更手段とを有する撮像装置とするものである。
【０００８】
同じく上記目的を達成するために、本発明は、信号のピーク値近傍の変化を目視させるために信号の棒グラフを表示する表示方法において、前記棒グラフの表示可能な最小値および最大値を設定する設定ステップと、前記信号のレベルが前記最小値以上最大値以下の範囲に収まらない場合でも、該信号のレベルが前記範囲内に収まるように前記範囲を変更する設定変更ステップとを有する表示方法とするものである。
【発明の効果】
【０００９】
本発明によれば、棒グラフにて表示される信号のピーク値近傍の変化を容易に目視させる表示装置、撮像装置または表示方法を提供できるものである。
【発明を実施するための最良の形態】
【００１０】
本発明を実施するための最良の形態は、以下の実施例に示す通りである。
【実施例】
【００１１】
図１は本発明の一実施例に係る撮像装置のシステム構成を示すブロック図である。図１において、１００は撮像装置である。１０は撮影レンズ、１２は絞り機能を備えるシャッタ、１４は光学像を電気信号に変換する撮像素子である。１６はＡ／Ｄ変換器であり、撮像素子１４のアナログ信号出力をディジタル信号に変換する。１８はタイミング発生回路であり、撮像素子１４、Ａ／Ｄ変換器１６、Ｄ／Ａ変換器２６にクロック信号や制御信号を供給するものであり、メモリ制御回路２２及びシステム制御回路５０により制御される。
【００１２】
２０は画像処理回路であり、Ａ／Ｄ変換器１６からのデータ或いはメモリ制御回路２２からのデータに対して所定の画素補間処理や色変換処理を行う。また、画像処理回路２０においては、Ａ／Ｄ変換器１６からのデータ或いはメモリ制御回路２２からのデータを解析し、被写体の輝度（明るさ）の高周波成分を抽出する処理を行う。抽出した値を、ここでは「焦点評価値」（焦点信号）と呼ぶことにする。また、画像処理回路２０においては、撮像した画像データを用いて所定の演算処理を行う。そして、得られた演算結果に基づいてシステム制御回路５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１３】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。前記Ａ／Ｄ変換器１６のデータが、画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１４】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、画像データだけではなく、アイコンや文字などのビットマップデータを表示することが可能である。システム制御回路５０の指示により、画像データとアイコンなどのビットマップデータを重ねて表示することが出来る。
【００１５】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００１６】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。４０は絞り機能を備えるシャッタ１２を制御する露光制御部であり、後述のフラッシュ４８と連携することによりフラッシュ調光機能も有するものである。４２は撮影レンズ１０のオートフォーカスを制御する測距制御部、４４は撮影レンズ１０のズーミングを制御するズーム制御部、４６は保護部材であるバリア１０２の動作を制御するバリア制御部である。４８はフラッシュであり、ＡＦ補助光の投光機能、フラッシュ調光機能も有する
露光制御部４０、測距制御部４２はＴＴＬ方式を用いて制御されており、撮像した画像データを画像処理回路２０によって演算した演算結果に基づき、後述のシステム制御回路５０が露光制御部４０、測距制御部４２に対して制御を行う。
【００１７】
５０は撮像装置１００全体を制御するシステム制御回路、５２はシステム制御回路５０の動作用の定数、変数、プログラム等を記憶するメモリである。５４は表示部であり、システム制御回路５０でのプログラムの実行に応じて、文字、画像、音声等を用いて動作状態やメッセージ等を表示する液晶表示装置、スピーカー等である。そして、撮像装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。
【００１８】
上記表示部５４の表示内容のうち、ＬＣＤ等に表示するものとしては、単写／連写撮影表示、セルフタイマ表示、圧縮率表示、記録画素数表示、記録枚数表示、残撮影可能枚数表示を含む。さらに、シャッタスピード表示、絞り値表示、露出補正表示、フラッシュ表示、赤目緩和表示、マクロ撮影表示、ブザー設定表示、時計用電池残量表示、電池残量表示を含む。さらに、エラー表示、複数桁の数字による情報表示、記録媒体２００及び２１０の着脱状態表示、通信Ｉ／Ｆ動作表示、日付・時刻表示等を含む。また、表示部５４の表示内容のうち、光学ファインダ１０４内に表示するものとして、合焦表示、手振れ警告表示、フラッシュ充電表示、シャッタスピード表示、絞り値表示、露出補正表示等を含む。
【００１９】
５６は電気的に消去・記録可能な不揮発性メモリであり、例えばＥＥＰＲＯＭ等が用いられる。６０,６２,６４,６６,６８及び７０は、システム制御回路５０の各種の動作指示を入力するための操作部材であり、スイッチやダイアル、タッチパネル、視線検知によるポインティング、音声認識装置等の単数或いは複数の組み合わせで構成される。
【００２０】
ここで、上記操作部材の具体的な説明を行う。
【００２１】
６０はモードダイアルスイッチであり、電源オフ、自動撮影モード、撮影モード、パノラマ撮影モード、再生モード、マルチ画面再生・消去モード、ＰＣ接続モード等の各機能モードを切り換え設定することが出来る。６２（ＳＷ１）はスイッチであり、不図示のシャッタボタンの第１ストロークによりＯＮとなる。このスイッチＳＷ１のＯＮにより、ＡＦ（オートフォーカス）処理、ＡＥ（自動露出）処理、ＡＷＢ（オートホワイトバランス）処理、ＥＦ（フラッシュプリ発光）処理等の動作が開始される。６４（ＳＷ２）はスイッチＳＷ２であり、不図示のシャッタボタンの第２ストロークによりＯＮとなる。このスイッチＳＷ２のＯＮにより、撮像素子１４から読み出された信号がＡ／Ｄ変換器１６、メモリ制御回路２２を介してメモリ３０に画像データを書き込む露光処理が開始される。さらに、画像処理回路２０やメモリ制御回路２２での演算を用いた現像処理が開始される。さらには、メモリ３０から画像データを読み出し、圧縮・伸長回路３２で圧縮を行い、記録媒体２００或いは２１０に画像データを書き込む記録処理などの一連の処理が開始される。
【００２２】
６６はＭＦ（マニュアルフォーカス）ＯＮ／ＯＦＦスイッチであり、ＭＦのＯＮ／ＯＦＦを設定することが出来る。ＭＦがＯＦＦのときは、自動で合焦を制御するＡＦ（オートフォーカス）が行われる。６８は焦点距離変更スイッチであり、ＭＦ（マニュアルフォーカス）がＯＮのときに、撮影レンズ１０の焦点距離を変更することが出来る。
【００２３】
７０は各種ボタンやタッチパネル等からなる操作部であり、メニューボタン、セットボタン、マクロボタン、マルチ画面再生改ページボタン、フラッシュ設定ボタン、単写／連写／セルフタイマ切換ボタンを含む。さらには、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等を含む。
【００２４】
８０は電源制御部であり、電池検出回路、ＤＣ−ＤＣコンバータ、通電するブロックを切り換えるスイッチ回路等により構成されている。そして、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２はコネクタ、８４はコネクタである。８６はアルカリ電池やリチウム電池等の一次電池やＮｉＣｄ電池やＮｉＭＨ電池、Ｌｉ電池等の二次電池、ＡＣアダプタ等からなる電源である。
【００２５】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知部である。
【００２６】
なお、本実施例では、記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００２７】
上記インタフェース及びコネクタとしては、ＰＣＭＣＩＡカードやＣＦ（コンパクトフラッシュ（登録商標））カード等の規格に準拠したものを用いて構成して構わない。さらに、インタフェース９０及び９４、そしてコネクタ９２及び９６をＰＣＭＣＩＡカードやＣＦカード等の規格に準拠したものを用いて構成しても良い。この場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことが出来る。
【００２８】
１０２は保護部材であるバリアであり、撮像装置１００のレンズ１０を含む撮像部を覆う事により、撮像部の汚れや破損を防止する。１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などが表示される。
【００２９】
１１０は通信部であり、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信部１１０により撮像装置１００を他の機器と接続するコネクタ或いは無線通信の場合はアンテナである。
【００３０】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。２１０はメモリカードやハードディスク等の記録媒体である。記録媒体２１０は、半導体メモリや磁気ディスク等から構成される記録部２１２、撮像装置１００とのインタフェース２１４、撮像装置１００と接続を行うコネクタ２１６を備えている。
【００３１】
次に、システム制御回路５０での撮影時の動作について、図２のフローチャートを用いて説明する。
【００３２】
まずステップＳ１０１にて、ＭＦ（マニュアルフォーカス）フラグを０にする。そして、次のステップＳ１０２にて、画像表示をＯＮにする。つまり、画像表示部２８に撮影した画像を逐次表示する電子ファインダをＯＮにする。次のステップＳ１０３では、ボタン操作の有無を検知し、ＭＦボタン６６以外のボタンが押下されていればステップＳ１０４に進む。
【００３３】
ステップＳ１０４へ進むと、押下されたボタン操作に応じた処理を行う。例えば、スイッチＳＷ２が押下されたときは撮影動作を行う。撮影動作に関しては、広く知られており、ここでは特に説明しない。その後はステップＳ１０３に戻る。
【００３４】
上記ステップＳ１０３でＭＦボタン６６が押下されていたときはステップＳ１０５へ進み、ＭＦフラグの状態を判定する。その結果、ＭＦフラグが０であったときは、ステップＳ１０６へ進み、ＭＦフラグを１に設定し、次のステップＳ１０７にて、ＭＦ設定を行う。その後はステップＳ１０８へ進み、表示している測距枠を中心に拡大表示を行う。拡大表示に関しては、例えば、非特許文献１に記載されているように広く知られている。
【００３５】
上記ステップＳ１０８で拡大表示を行った後はステップＳ１０９へ進み、焦点評価値を取得する枠を表示する。詳しくは、ステップＳ１０８でＭＦ拡大表示した領域の中で、焦点評価値を取得する範囲を表す焦点評価値枠を表示する。焦点評価値枠を表示する際には、表示中の測距枠を消す。次のステップＳ１１０では、焦点評価値をバー表示する処理を行う。焦点評価値バーの表示に関しては後述する。その後、ステップＳ１１１に進み、焦点評価値バーを表示していることを示す、バー表示フラグをＯＮにする。そして、ステップＳ１０３に戻る。
【００３６】
上記ステップＳ１０５でＭＦフラグが１だった場合は、ステップＳ１１２以降のＭＦ解除処理を行う。詳しくは、ステップＳ１１２にて、ＭＦフラグを０にし、次のステップＳ１１３にて、ＭＦ解除処理を行う。続くステップＳ１１４では、ＭＦ拡大表示を解除する。そして、ステップＳ１１５にて、測距枠表示を行う。ここで表示される測距枠は、ＡＦ（オートフォーカス）を行う領域を表す枠である。測距枠表示時には、焦点評価値枠を非表示にする。次のステップＳ１１６では、焦点評価値バーを非表示にし、続くステップＳ１１７にて、焦点評価値バーを表示していることを示す、バー表示フラグをＯＦＦにする。その後はステップＳ１０３に戻る。
【００３７】
上記ステップＳ１０３でボタン操作を検出していなかったときはステップＳ１１８へ進み、バー表示フラグがＯＮかＯＦＦかを判定する。その結果、バー表示フラグがＯＦＦのとき（焦点評価値バーが表示されていなかったとき）はステップＳ１０３に戻る。一方、バー表示フラグがＯＮのとき（焦点評価値バーが表示されていたとき）は、上記のステップＳ１１０以降へと進む。
【００３８】
図３（ａ）は、ＭＦ設定されていないときに、液晶などの画像表示部２８に表示される画面の一例であり、図２のステップＳ１１７の処理を行った後に表示される画面でもある。
【００３９】
図３（ａ）において、６０１は測距枠を示している。測距枠は、焦点合わせを行う範囲を示す枠として表示される。測距枠６０１の中に、被写体として飛行機６０２があることを示している。測距枠６０１の範囲外に、被写体としてバス６０３が表示されている。この状態で、撮像装置１００の使用者がＭＦボタン６６を押下したときに、画像表示部２８に表示される画面の一例を図３の（ｂ）に示す。図２のステップＳ１１１の処理を行った後に表示される画面でもある。
【００４０】
図３（ｂ）において、６０４は図２のステップＳ１１０で表示される焦点評価値バーである。６０５は図２のステップＳ１０８でＭＦ拡大表示される範囲を示している。６０６は図２のステップＳ１０９で表示される焦点評価値枠である。６０７は、図３（ａ）の飛行機６０２が、図２のステップＳ１０８でＭＦ拡大表示された結果、拡大されて表示されたものである。６０８は図３（ａ）で表示されたバス６０３と同じであり、同じ大きさで表示される。６０９はＭＦインジケータであり、ピントが合う距離の目安を表示している。この例では、目安として１〜５ｍの間でピントが合うことを示している。
【００４１】
図４は、図２のステップＳ１１０にて実行される焦点評価値バーの表示動作を示すフローチャートである。
【００４２】
システム制御回路５０は、まず、ステップＳ２０１にて、画像処理回路２０から被写体の輝度の高周波成分を抽出した値（焦点評価値）を取得して、取得した焦点評価値をメモリ５２に保存する。ここでは、取得した焦点評価値をｃｕｒとする。そして、次のステップＳ２０２にて、バー表示フラグがＯＮかＯＦＦかを判定し、バー表示フラグがＯＦＦであればステップＳ２０３に進む。ステップＳ２０３に進むと、焦点評価値ｃｕｒが４００よりも小さいかどうかを判定し、４００よりも小さければステップＳ２０４へ進み、最小値＝０、最大値＝４００とする。この最小値、最大値は、焦点評価値バー６０４の表示可能な最小値、最大値であり、その値はメモリ５２に保存しておく。また、上記ステップＳ２０３にて焦点評価値ｃｕｒが４００よりも大きいときはステップＳ２０５へ進み、最小値＝ｃｕｒ−２００、最大値＝ｃｕｒ＋２００とする。
【００４３】
上記ステップＳ２０４もしくはステップＳ２０５で最小値と最大値を保存した後はステップＳ２０６へ進み、焦点評価値バー６０４の描画を行う。図５に描画する焦点評価値バー６０４の一例を示す。図５では、焦点評価値バー６０４の一番上が最大値を、焦点評価値バー６０４の一番下が最小値を、それぞれ示している。現在の焦点評価値ｃｕｒを、最大値と最小値の間で表現する。例えば、ｃｕｒ＝最小値のときは、焦点評価値バー６０４の高さは０である。ｃｕｒ＝最大値のときは、焦点評価値バー６０４の高さは最大値になる。また、ステップＳ２０５の処理を行った後に焦点評価値バー６０４の描画を行ったときは、焦点評価値バー６０４の高さは中央になる。
【００４４】
上記ステップＳ２０２でバー表示フラグがＯＮと判定した場合はステップＳ２０７へ進む。そして、このステップＳ２０７では、取得した焦点評価値ｃｕｒが、メモリ５２に保存している最小値よりも小さいかどうかを判定し、小さくない（最小値よりも大きい）場合はステップＳ２０８に進む。ステップＳ２０８では、焦点評価値ｃｕｒがメモリ５２に保存している最大値よりも大きいかどうかを判定する。その結果、大きい場合はステップＳ２０９へ進み、焦点評価値バー６０４の表示可能範囲を増加させる。つまり、上方向へ焦点評価値バー６０４の表示をスクロール（アニュメーション表示）して、ステップＳ２０２に戻る。このステップＳ２０９での上方向へスクロールする処理は、図６を用いて後述する。
【００４５】
一方、上記ステップＳ２０８で焦点評価値ｃｕｒが最大値よりも小さい場合はステップＳ２０６に進み、焦点評価値バー６０４の描画を行い、焦点評価値バー６０４も表示処理を終了する。
【００４６】
また、上記ステップＳ２０７で焦点評価値ｃｕｒが最小値よりも小さかった場合はステップＳ２１０へ進み、焦点評価値バー６０４の表示可能範囲を減少させる。つまり、下方向に焦点評価値バー６０４の表示をスクロールして、ステップＳ２０２に戻る。このステップＳ２１０での下方向にスクロールする処理は、図８を用いて後述する。
【００４７】
図６は、図３のステップＳ２０９において、焦点評価値バー６０４を上方向へスクロールする際の詳細な動作を示すフローチャートである。また、図７は、図３のステップＳ２０９において、焦点評価値バー６０４の表示を上方向へスクロールする際の様子を示す一例である。
【００４８】
図６において、システム制御回路５０は、まず、ステップＳ３０１にて、１００％の焦点評価値バー６０４の表示を行う。このとき、図７（１）のような焦点評価値バー６０４が表示される。次のステップＳ３０２では、１００ｍｓｅｃ待ち、続くステップＳ３０３にて、焦点評価値バー６０４の上部１０％を表示する。このとき、図７（２）のような焦点評価値バー６０４が表示される。焦点評価値バー６０４の上部１０％が例えば水色（図７ではグレー、以下同様）で、残りが黒で表示される。
【００４９】
次のステップＳ３０４では、１００ｍｓｅｃ待ち、続くステップＳ３０５にて、焦点評価値バー６０４の上部２０％を水色で表示する。このとき、図７（３）のような焦点評価値バー６０４が表示される。焦点評価値バー６０４の上部２０％が水色で、残りが黒で表示される。次のステップＳ３０６では、１００ｍｓｅｃ待ち、続くステップＳ３０７にて、焦点評価値バー６０４の上部２０％を水色で表示する。このとき、図７（４）のような焦点評価値バー６０４が表示される。焦点評価値バー６０４の上部３０％が水色で、残りが黒で表示される。
【００５０】
次のステップＳ３０８では、１００ｍｓｅｃ待ち、続くステップＳ３０９にて、焦点評価値バー６０４の上部３０％を水色で表示する。このとき、図７（５）のような焦点評価値バー６０４が表示される。焦点評価値バー６０４の上部４０％が水色で、残りが黒で表示される。次のステップＳ３１１では、１００ｍｓｅｃ待ち、続くステップＳ３１２にて、焦点評価値バー６０４の上部５０％を水色で表示する。このとき、図７（６）のような焦点評価値バー６０４が表示される。焦点評価値バー６０４の上部５０％が水色で、残りが黒で表示される。次のステップＳ３１３では、１００ｍｓｅｃ待ち、通常の５０％の焦点評価値バー６０４を表示する。このとき、図７（７）のような焦点評価値バー６０４が表示される。このステップＳ３１３で通常の５０％の焦点評価値バー６０４を表示したところで、スクロール処理は終了である。
【００５１】
図８は、図３のステップＳ２１０において、焦点評価値バー６０４を下方向へスクロールする際の詳細な動作を示すフローチャートである。また、図９は、このステップＳ２１０において、焦点評価値バー６０４の表示を下方向へスクロールする際の様子を示す一例である。
【００５２】
システム制御回路５０は、図８のステップＳ４０１にて、０％の焦点評価値バー６０４の表示を行う。このとき、図９（１）のような焦点評価値バー６０４が表示される。次のステップＳ４０２では、１００ｍｓｅｃ待ち、続くステップＳ４０３にて、黄色（図９ではグレー、以下同様）で１０％の焦点評価値バー６０４を表示する。このとき、図９（２）のような焦点評価値バー６０４が表示される。次のステップＳ４０５では、１００ｍｓｅｃ待ち、続くステップＳ４０５にて、黄色で２０％の焦点評価値バー６０４を表示する。このとき、図９（３）のような焦点評価値バー６０４が表示される。
【００５３】
次のステップＳ４０６では、１００ｍｓｅｃ待ち、続くステップＳ４０７にて、黄色で３０％の焦点評価値バー６０４を表示する。このとき、図９（４）のような焦点評価値バー６０４が表示される。次のステップＳ４０９では、１００ｍｓｅｃ待ち、続くステップＳ４０９にて、黄色で４０％の焦点評価値バー６０４を表示する。このとき、図９（５）のような焦点評価値バー６０４が表示される。次のステップＳ４１０では、１００ｍｓｅｃ待ち、続くステップＳ４１１にて、黄色で５０％の焦点評価値バー６０４を表示する。このとき、図９（６）のような焦点評価値バー６０４が表示される。
【００５４】
次のステップＳ４１２では、１００ｍｓｅｃ待ち、続くステップＳ４１３にて、通常の５０％の焦点評価値バー６０４を表示する。このとき、図９（７）のような焦点評価値バー６０４が表示される。このステップＳ４１３で通常の５０％の焦点評価値バー６０４を表示したところで、スクロール処理は終了である。
【００５５】
図１０は、焦点評価値とフォーカス位置の関係を示す一例である。縦軸が焦点評価値の値で、概ね０から３０００ぐらいまでの値をとる。横軸がフォーカス位置を示している。図１０の例では、至近と無限遠の中間よりもやや無限遠の位置に、焦点評価値のピークがある。
【００５６】
デジタルカメラ等の撮像装置１００の使用者にとって、焦点評価値の値は重要ではない。焦点距離のピークの位置を見つけることが重要である。
【００５７】
図１１は、本実施例における焦点評価値バーの表示の概念を示す一例である。現在の焦点評価値が、図１０のピーク付近である２８００であったとする。したがって、本実施例では焦点評価値バーを表示する範囲は、焦点評価値２８００近傍の４００の範囲のみである。現在の焦点評価値の近傍のみをバー表示するので、焦点評価値の変化が把握しやすくなる。
【００５８】
例えば、現在の焦点評価値の近傍のみを表示せずに、０から３０００までを表現するバー表示をすると、焦点評価値の変化が５０ほどあったとしても、焦点評価値バーの変化は小さく、ピーク位置を判定することが困難である。これに対し、本実施例のように、現在の焦点評価値近傍の４００の範囲のみをバー表示することによって、焦点評価値が５０変化すれば、焦点評価値バーの長さが１２．５％変化する。このため、変化したことをはっきりと使用者に知らしめることができる。したがって、図１２のように焦点評価値のピークが５００近傍のときであっても、ピーク位置を判定することが可能となる。
【００５９】
焦点評価値は被写体によって、取り得る範囲が大きく変化する。本実施例によれば、焦点評価値の範囲が変動しても、焦点評価値のピークをデジタルカメラ等の撮像装置１００の使用者が容易に判定することが可能となる。また、スクロール直後は、現在値が焦点評価値バー６０４の中央になる。よって、頻繁にスクロールすることを防ぐことができ、ピーク位置の確認が容易なバー表示とすることができる。
【００６０】
なお、上記の実施例では、図７、図９で焦点評価値バー６０４の色を変えるようにしたが、模様を変えるようにしても良い。例えば、図７の上方向へスクロールする際には、水色の変わりに横縞模様を表示して、図９の下方向へスクロールする際には、黄色の変わりに縦縞模様を表示するようにしても構わない。また、図７、図９で通常のバー表示の色は黒としたが、白などのほかの色でも構わない。スクロール時の色も、増加するときは水色、減少するときは黄色としたが、他の色でももちろん構わない。
【００６１】
また、本実施例では、図２、図４、図６のフローチャートにおいて、取得した焦点評価値がバー表示可能な範囲を超えたときには、自動でスクロールを行うものとした。しかし、ユーザーが明示的に操作部７０を操作したときにのみスクロールするように構成しても構わない。例えば、焦点評価値バーの表示可能範囲が２００〜６００であったときに、焦点評価値が８００だった場合は、焦点評価値バーの表示は最上段で張り付く。このときに、ユーザーが明示的に操作部７０を操作したときに、図７で示した上方向スクロールを行い、８００を中心に、６００〜１０００まで表示可能なバー表示をするようにしても良い。
【００６２】
以上の実施例によれば、焦点評価値（焦点信号）のピーク値近傍の範囲でのバー表示を行うため、焦点信号のピークを把握することが容易になる利点がある。よって、手動にてフォーカスレンズの焦点合わせをする際のアシストが十分なものとなる。
【００６３】
また、マニュアルフォーカス時に、測距枠（オートフォーカス領域）を中心に撮影した画像を拡大した際に、拡大した領域のうち、焦点信号を取得する領域を表示するため、拡大表示時に、被写体のどの位置の焦点信号を取得しているかを把握することが容易となる利点がある。
【図面の簡単な説明】
【００６４】
【図１】本発明の一実施例に係わる撮像装置のシステム構成を示すブロック図である。
【図２】図1の撮像装置の撮影動作を示すフローチャートである。
【図３】本実施例における表示画面を示す図である。
【図４】本実施例における焦点評価値バーの表示動作を示すフローチャートである。
【図５】本実施例における焦点評価値バーを説明する図である。
【図６】本実施例における焦点評価値バーを上方向へスクロールする時の動作を示すフローチャートである。
【図７】本実施例における焦点評価値バーを上方向へスクロールする時のアニメーション表示を示す図である。
【図８】本実施例における焦点評価値バーを下方向へスクロールする時の動作を示すフローチャートである。
【図９】本実施例における焦点評価値バーを下方向へスクロールする時のアニメーション表示を示す図である。
【図１０】本実施例において焦点評価値とフォーカスレンズ位置との関係を示す図である。
【図１１】本実施例における焦点評価値バー表示の概念を示す図である。
【図１２】本実施例における焦点評価値とフォーカスレンズ装置との他の関係を示す図である。
【符号の説明】
【００６５】
１０    撮影レンズ
１４    撮像素子
２０    画像処理回路  
２４    画像表示メモリ
２８    画像表示部
４０    露光制御部
４２    測距制御部
５０    システム制御回路
５２    メモリ
５４    表示部
６６    ＭＦスイッチ
６８    焦点距離変更スイッチ
７０    操作部
１００  撮像装置
【図１】
2008046223.tif 000003
【図２】
2008046223.tif 000004
【図３】
2008046223.tif 000005
【図４】
2008046223.tif 000006
【図５】
2008046223.tif 000007
【図６】
2008046223.tif 000008
【図７】
2008046223.tif 000009
【図８】
2008046223.tif 000010
【図９】
2008046223.tif 000011
【図１０】
2008046223.tif 000012
【図１１】
2008046223.tif 000013
【図１２】
2008046223.tif 000014